(57)【要約】【課題】  ドキュメントシュレッダー装置の用紙圧縮装置で、一定圧で用紙圧縮を行うことでその機構を小型・簡素化し低原価とする。【解決手段】  用紙圧縮圧を検知し制御する為に、圧力壁を可動としその圧力をセンサーで検出し位置を制御することで圧縮室内の過大な圧力発生を防止し、構造を小型・簡素化する。また、圧力壁の移動機構を用紙塊の取り出しにも併用しその機構を省き簡素化する。【選択図】    図１
2006007193.tif 000002
【特許請求の範囲】
【請求項１】
機密情報漏洩防止の為に廃棄書類を細かく破砕しその内容を読めなくするドキュメントシュレッダー装置の紙圧縮装置において、回転しながら破砕された用紙片を圧縮する圧縮部と、円筒状の圧縮室と、圧力室に蓋をし移動可能な圧力壁と、圧力壁にかかる圧力の検出部とで構成され、圧力壁に加わる圧力が一定以上になると圧力壁を少し後退させ圧力調整をしながら用紙片を圧縮することを特徴とするドキュメントシュレッダー装置用紙圧縮装置。
【請求項２】
圧力壁が一定距離後退したことをセンサーで検出し、その後圧力壁を大きく後退させることで用紙片の塊を所定の位置に落下させることを特徴とする請求項１記載のドキュメントシュレッダー装置用紙圧縮装置。
【請求項３】
圧力壁が後退するときは遅い速度で、圧力壁を元に戻す為に前進させるときは速い速度で動かすことを特徴とする請求項１および請求項２のドキュメントシュレッダー装置用紙圧縮装置。
【発明の詳細な説明】
【技術分野】
【０００１】    本発明は機密保持の目的で廃棄する書類を細かく破砕しその内容を読めなくした状態で廃棄するためのドキュメントシュレッダー装置において、用紙の繊維を切断せずに長く保持し破砕された紙を再度用紙として再生できるようにしたドキュメントシュレッダー装置の用紙片圧縮装置に関するものである。
【背景技術】
【０００２】  従来の引き裂き型ドキュメントシュレッダー装置では破砕される用紙はある程度細かくしかも破砕部には紙の繊維が残されていてゴミとして圧縮する時圧縮室に誘導しやすく、また破砕された用紙片どうしが互いに絡みやい為、ドキュメントシュレッダーに紙圧縮装置が付加される場合が多い。しかし固まりになった紙の塊を決められた格納場所・決められた大きさ・適度な硬さに管理し保管するのは難しく、それを実施するには複雑な機構と大きなコストを必要とした。
【発明の開示】
【発明が解決しようとする課題】
【０００３】  本発明は圧縮室で固められた用紙の塊を一定の硬さ・大きさに管理し保管する機構を低コストで供給することを課題としている。またこれまで圧縮のばらつきから過大な圧縮圧でモーターに高負荷がかかったり、圧力室で大きな異音・騒音が生じる場合も発生したが、それらも解決する。
【課題を解決するための手段】
【０００４】  圧縮室を構成する圧力壁に、それにかかる圧力を検知するセンサー部とそれを移動する為の機構部を設け、一定圧力になったら圧力壁を後退させ内部圧力を下げる。【０００５】  圧力壁が一定距離まで後退したらそれを検知し、圧力壁を完全に後退させ用紙の塊を下に落下させる。
【発明の効果】
【０００６】  圧力壁にその圧力検知部と後退機構部を設けることで用紙を一定の圧力で圧縮することができ、モーター負荷トルク及び圧縮室強度・装置全体の強度を大幅に下げるこができる為、機構を簡素化低コスト化でき、故障も激減する。【０００７】  用紙の塊は一定長さ密度に管理され排出される為、装置内での保管管理が容易でありユーザーにとってもゴミ処理が非常に簡単になる。また塊の長さ（重さ）はユーザー側で設定できるためとても便利となる。【０００８】  圧縮圧が一定となる為、過圧縮等での異音・振動がなくなる。
【発明を実施するための最良の形態】
【０００９】  本発明の請求項１に対応した実施の形態について図１及び図２（図１の側面図）を参照し説明する。
スクリュー１は回転しながら用紙片２３を集め圧縮する加圧装置で、シリンダー３及び圧力壁６と共に用紙片を圧縮する為の圧力室を構成している。【００１０】  圧力壁６には雌ねじ７がありねじ４と噛み合いその回転で前進後退ができるようになっている。圧力壁にかかる圧力は、ねじ４、ベアリング９、ベース１１、ばね８を経由してベース１３にかかるようになっている。通常ばね８の復元力によりベース１１はベース１３に対して適当な隙間を維持している。【００１１】  ベース１１には弾力性のある圧力センサー１２が設置され、その歪に応じて圧力を電気信号に変換するようになっている。【００１２】  圧力壁６は最初はシリンダー３の端に隙間の無い様に接触している。シリンダー３内で用紙片が十分に圧縮され固形化されると徐々に圧力壁６への圧力は高まりばね８を押しベース１１と１３の隙間が少なくなり、同時に圧力センサー１２に変形が生じそれに応じた電気信号が出力される。【００１３】  圧力センサー１２の出力がある設定値を超えると、駆動軸２０を回転させセンサー信号が一定以下になる点まで圧力壁６を後退させる。この動作により用紙塊２４は徐々に成長し長くなってゆく。【００１４】  特許請求２項に対応する実施の形態を図１及び図２（１図の側面図）を参照し説明する。
位置センサー２１は圧力壁の位置を検出する為のセンサーである。用紙塊２４が成長を続けると圧力壁６は位置センサー２１の部分まで達する。【００１５】  位置センサー２１が圧力壁６を検出すると圧力壁６は最終端まで後退し、そこで待機している。スクリュー１は用紙片２３を内部に送り込む為未固結の用紙片で用紙塊２４は押され徐々に移動しやがてシリンダー３から落下し所定の場所に格納される。【００１６】  用紙塊２４の落下は例えば透過型光電センサー２５で検出し、その後圧力壁は圧力室３まで戻り繰り返し動作となる。【００１７】  特許請求項３に対応する実施の形態を図１及び図２（１図の側面図）を参照し説明する。
軸２０は歯車１４及び１６と固定され回転可能であり、歯車１５及び１７には一定方向の回転の時のみロックされるワンウエイクラッチ１８，１９が挿入されている。【００１８】  例えば本図で軸２０が時計回りに回転するとその動力は歯車１４、１５、ねじ１４に伝達され圧力壁６はゆっくり後退する。この場合歯車１６、１７の動力伝達経路はワンウェイクラッチ１９の空回りで遮断される。【００１９】  逆に軸２０が反時計周りに回転すると歯車１６、１７及びねじ４の伝達経路が有効となり、ねじ４は高速逆転し圧力壁６は高速前進し、短時間で次の紙圧縮可能状態に復帰できる。
【実施例】
【００２０】  本発明の実施例を図１及び図２（図１の側面図）に示す。
スクリュー１は軸２と固定されシリンダー３内で回転できるようになっていて、破砕された用紙片２３が用紙破砕部２２から供給されるようになっている。【００２１】  ねじ４はその回転で圧力壁６前後に移動させるものであり、ベアリング５及び９と勘合しスムーズに回転できるようになっていて、最終端には歯車１５、１７が取り付けられている。【００２２】  ベース１１にはベアリング９が固定されておりねじ４の回転を支えていて、複数のバネ８が埋め込まれ、その復元力でベース１３とに隙間ができるようになっている。ベース１３とベアリング９の勘合は隙間嵌めでスライドできるようになっている。【００２３】  ベース１１には例えばゴム製圧力検出体の圧力センサー１２が取り付けられており、ベース１３にぶつかると変形しそれに応じた電流が流れるようになっている。【００２４】  ワンウェイクラッチ１８、１９はそれぞれ歯車１５、１７にはめ込まれ、ワンウエイクラッチ１８は時計回りでロック、反時計周りでフリー、ワンウエイクラッチ１９はその正反対で動作するものである。【００２５】  歯車１４，１６は共に軸２０に固定されておりその一方はベース１３に埋め込まれたベアリング１０に支持されもう一方はモーター等の動力に結合され、動力をシステム内に導入する入り口である。【００２６】  最初用紙片２３が供給されない状態では軸２０には時計回りの回転、歯車１７には反時計回りの回転が供給されねじ４は高速で反時計方向に回転しその結果圧力壁６はシリンダー３の端に達しぶつかる。その時の圧力はねじ４、ベアリング９、ベース１１、バネ８、ベース１３と伝達し、ばね８はベース１１及び１３間では圧縮され圧力センサー１２はベース１３と接触する。その時の電気信号検出で軸２０の動力は停止し圧力壁６はシリンダー３の端部で一旦停止し、その後軸２０には反時計回り方向に回転し歯車１４、１５を経由しねじ４に時計方向の回転が伝えられ、圧力壁６はゆっくり後退し圧力センサー出力がゼロになったところで停止する。【００２７】  破砕された用紙片２３が用紙破砕部２２から回転するスクリュー１に供給されると用紙の圧縮が開始される。用紙がシリンダー３内部を満たし十分に固形化されると圧力壁６への圧力は徐々に高まりばね８は再度圧縮され圧力センサー１２に電気出力が出てくる。【００２８】  圧力センサー１２の出力が一定値を超えると軸２０に時計回り方向の動力が伝わり圧力壁６はゆっくり微小量後退し圧力センサー１２の出力が一定以下になると停止する。この動作の繰り返しで固形化された用紙塊２４はゆっくり成長し長くなる。【００２９】  固形化された用紙塊２４が十分に成長し圧力壁６が位置センサー２１まで達すると、軸２０には連続的時計回り方向の回転が加えられ圧力壁６はベース１１にぶつかるまで後退し続け、接触後ばね８が撓み圧力センサー１２に出力が生じ、その後軸２０には反時計回りの動力が伝わり圧力壁６はベース１１から離れ圧力センサー１２の出力がゼロになる位置で停止する。ここで圧力壁６は後退できる最大端で停止している。【００３０】  圧力壁６が後退した後もシリンダー３内には用紙片２３が供給される為、その圧力で用紙塊２４は押され徐々に後退しやがてはシリンダー３から離脱���落下する。用紙塊２４の落下は透過型光電センサー２５で確認される。【００３１】  用紙塊２４の落下が確認されると軸２０には時計回り方向の動力が伝わり、圧力壁６は高速で前進しシリンダー３の端部に再度セットされ、次の圧縮が始まる。
【図面の簡単な説明】
【図１】  本発明による実施例の図である。
【図２】  図１の側面図（矢視Ａ）である。
【符号の説明】
１．                          スクリュー
２．２０                      軸
３．                          シリンダー
４．                          ねじ
５．９．１０                  ベアリング
６．                          圧力壁
７．                          雌ねじ
８．                          バネ
１１．１３                    ベース
１２、                        圧力センサー
１４．１５．１６．１７        歯車
１８．１９                    ワンウェイクラッチ
２１．                        位置センサー
２２．                        用紙破砕部
２３．                        用紙片
２４．                        用紙塊
２５．                        透過型光電センサー
【図１】
2006007193.tif 000003
【図２】
2006007193.tif 000004